Podtech/llm-jp-corpus-v4-ja_patent huggingface dataset:
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
容器（Ｃ）の検査を行うための装置であって、該装置は、
容器口部（Ｍ）と、該容器口部とは反対側のパント（Ｐ）をもった底部（Ｂ）を有する容器であって、前記パントは前記容器の内部容積中に延びる、容器と、
光エネルギを前記容器内に向け、前記容器の内部容積中に延びる前記パントの少なくとも一部から、前記容器口部を通って前記容器から出てくるようにするための少なくとも１つの光源と、
前記容器口部を通って伝達された光エネルギを受けるように前記少なくとも１つの光源及び前記容器に対して配置された光センサと、
前記光センサと通信するプロセッサーと、
前記プロセッサーと通信するディスプレイと
を含み、
前記少なくとも１つの光源が、前記容器の少なくとも一方の側に配置され、前記光エネルギが、前記容器の側壁を通り、前記容器底部の前記パントに向けられ、前記光エネルギの少なくとも一部が前記パントにより反射されて、前記容器口部を通って前記光センサに向けて進行し、前記プロセッサーにより使用されて、前記容器口部の画像を形成し、前記ディスプレイに出力されることにより、前記容器口部の検査を行い、
前記少なくとも１つの光源は前記容器底部の下方以外で前記容器底部に隣接し、かつ前記容器の高さを二分する高さ半分ラインの上方の前記容器の上半分に隣接せずに、前記高さ半分ラインの下方の前記容器の下半分に隣接して配置され、
前記少なくとも１つの光源は、前記容器の縦軸線に対してほぼ横方向に向けられ、
前記少なくとも１つの光源は、前記容器の内部容積中に延びる前記パントの少なくとも一部と軸線方向に重なるように略位置決めされる、
ことを特徴とする装置。
【請求項２】
前記少なくとも１つの光源は、前記容器の一方の側にある少なくとも２つの光源と、前記容器に対しほぼ反対側にある、少なくとも１つの他の光源と、を含み、複数の前記光源は、前記容器の縦軸線に対してほぼ垂直に配置されることを特徴とする、請求項１に記載の装置。
【請求項３】
前記容器を、前記容器の縦軸線周りに異なる角度位置に回転させるための容器回転器を含み、前記少なくとも１つの光源は該容器回転器の下方で該容器回転器と前記容器底部との間に配置されていることを特徴とする、請求項１に記載の装置。
【請求項４】
間に前記容器が配置される少なくとも２つの脚部を有する材料取扱機構を含み、前記少なくとも１つの光源が、前記材料取扱機構の少なくとも２つの脚部の間に配置された１つの側面光源を含むことを特徴とする、請求項１に記載の装置。
【請求項５】
前記材料取扱機構が、星形車であることを特徴とする、請求項４に記載の装置。
【請求項６】
容器口部とは反対側のパントをもった底部を有する容器の、容器口部を検査する方法であって、
少なくとも１つの光源を使用して、光エネルギを前記容器の内部に向け、前記容器の内部容積中に延びる前記パントの少なくとも一部から前記容器口部を通って前記容器から出てくるようにする段階と、
前記容器口部を通って伝達された光エネルギを感知する段階と、
を含み、
前記少なくとも１つの光源が、前記容器の少なくとも１つの側に配置され、前記光エネルギが、前記容器の側壁を通り、前記容器底部の前記パントに向けられ、該光エネルギの少なくとも一部が前記パントにより反射されて、前記容器口部を通って前記光センサに向けて進行し、前記容器口部の検査を行うための前記容器口部の画像を得るのに使用され、
前記少なくとも１つの光源は前記容器底部の下方以外で前記容器底部に隣接し、かつ前記容器の高さを二分する高さ半分ラインの上方の前記容器の上半分に隣接せずに、前記高さ半分ラインの下方の前記容器の下半分に隣接して配置され、
前記少なくとも１つの光源は、前記容器の縦軸線に対してほぼ横方向に向けられ、
前記少なくとも１つの光源は、前記容器の内部容積中に延びる前記パントの少なくとも一部と軸線方向に重なるように略位置決めされる、
ことを特徴とする方法。
【請求項７】
前記少なくとも１つの光源は、前記容器の一方の側にある少なくとも２つの光源と、前記容器に対し反対側にある少なくとも１つの他の光源と、を含み、複数の前記光源は、前記容器の縦軸線に対してほぼ垂直に配置されることを特徴とする、請求項６に記載の方法。
【請求項８】
前記容器を、前記容器の縦軸線周りに異なる角度位置に回転させる段階を含み、前記少なくとも１つの光源は該容器回転器の下方で該容器回転器と前記容器底部との間に配置されていることを特徴とする、請求項６に記載の方法。
【請求項９】
間に前記容器が配置される少なくとも２つの脚部を有する材料取扱機構により前記容器を取り扱う段階を含み、前記少なくとも１つの光源が、前記材料取扱機構の少なくとも２つの脚部の間に配置された、１つの側面光源を含むことを特徴とする、請求項６に記載の方法。
【手続補正書】
【提出日】平成27年2月19日(2015.2.19)
【手続補正１】
【補正対象書類名】明細書
【補正対象項目名】０００６
【補正方法】変更
【補正の内容】
【０００６】
本発明は、特許文献２と特許文献３とに記載された発明の、進展した発明を含み、特許文献２と特許文献３の内容全体が、引例として、本明細書に含まれ、本出願の主題の一部分を形成している。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
循環バイオマーカーの量を決定することを含む、患者についての予後を評価するための方法であって、前記患者は、癌性病態を有し、前記循環バイオマーカーの量は、前記患者がより良好な予後を有するかどうかを示す、方法。
【請求項２】
前記癌性病態は、ＩＧＦ−１Ｒシグナル伝達活性を特徴とする、請求項１に記載の方法。
【請求項３】
前記癌性病態は、ＩＧＦ−１Ｒシグナル伝達の阻害剤を使用した治療に反応するタイプの病態である、請求項１又は２に記載の方法。
【請求項４】
前記患者は、腫瘍を有する、請求項１−３のいずれか１項に記載の方法。
【請求項５】
前記腫瘍は、固形腫瘍である、請求項４に記載の方法。
【請求項６】
前記腫瘍は、原発腫瘍である、請求項４に記載の方法。
【請求項７】
前記腫瘍は、転移性腫瘍である、請求項４に記載の方法。
【請求項８】
前記腫瘍は、膵臓癌腫瘍、肉腫腫瘍、ユーイング肉腫腫瘍、卵巣腫瘍、乳癌腫瘍、小細胞肺癌腫瘍、非小細胞肺癌腫瘍、活性化ＫＲＡＳ突然変異を有する結腸直腸癌腫瘍、野生型ＫＲＡＳ対立遺伝子を有する結腸直腸癌腫瘍、前立腺癌腫瘍、肝臓癌腫瘍、頭頚部癌腫瘍、カルチノイド腫瘍、胃癌腫瘍、多発性骨髄腫腫瘍、神経内分泌癌腫瘍、副腎細胞癌腫瘍、または肝細胞癌腫瘍である、請求項４に記載の方法。
【請求項９】
前記膵臓癌腫瘍は、転移性膵臓癌腫瘍である、請求項８に記載の方法。
【請求項１０】
前記膵臓癌腫瘍は、局所進行膵臓癌腫瘍である、請求項８に記載の方法。
【請求項１１】
前記癌性病態は、急性リンパ芽球性白血病、副腎皮質癌、ＡＩＤＳ関連癌、ＡＩＤＳ関連リンパ腫、肛門癌、小児小脳星状細胞腫、小児脳星状細胞腫、基底細胞癌、肝外胆管癌、膀胱癌、骨肉腫／悪性線維性組織球腫骨癌、脳腫瘍（例えば、脳幹神経膠腫、小脳星状細胞腫、脳星状細胞腫／悪性神経膠腫、上衣腫、髄芽腫、テント上原始神経外胚葉性腫瘍、視覚路または視床下部神経膠腫）、乳癌、気管支腺腫／カルチノイド、バーキットリンパ腫、カルチノイド腫瘍、胃腸カルチノイド腫瘍、原発不明癌、原発性中枢神経系、小脳星状細胞腫、脳星状細胞腫／悪性神経膠腫、子宮頸癌、小児癌、慢性リンパ球性白血病、慢性骨髄性白血病、慢性骨髄増殖性疾患、結腸癌、結腸直腸癌、皮膚Ｔ細胞リンパ腫、子宮内膜癌、上衣腫、食道癌、ユーイング肉腫ファミリー腫瘍、頭蓋外胚細胞腫瘍、性腺外胚細胞腫瘍、肝外胆管癌、眼内黒色腫眼癌、網膜芽細胞腫眼癌、胆嚢癌、胃（Ｇａｓｔｒｉｃ）（胃（Ｓｔｏｍａｃｈ））癌、胃腸カルチノイド腫瘍、胚細胞腫瘍（例えば、頭蓋外、性腺外、または卵巣）、妊娠性絨毛性腫瘍、神経膠腫（例えば、成人、小児脳幹、小児脳星状細胞腫、小児視覚路または視床下部）、有毛細胞白血病、頭頚部癌、肝細胞（肝臓）癌、ホジキンリンパ腫、下咽頭癌、視床下部もしくは視覚路神経膠腫、眼内黒色腫、膵島細胞癌（内分泌膵臓）、カポジ肉腫、腎臓（腎細胞）癌、喉頭癌、白血病（例えば、急性リンパ芽球性、急性骨髄性、慢性リンパ球性、慢性骨髄性、または有毛細胞）、口唇もしくは口腔癌、肝臓癌、非小細胞肺癌、小細胞肺癌、リンパ腫（例えば、ＡＩＤＳ関連、バーキット、皮膚Ｔ細胞、ホジキン、非ホジキン、または原発性中枢神経系）、ワルデンシュトレーム型マクログロブリン血症、骨の悪性線維性組織球腫／骨肉腫、髄芽腫、黒色腫、眼内（眼）黒色腫、メルケル細胞癌、中皮腫、原発不明転移性扁平上皮頸部癌、多発性内分泌腫瘍症、多発性骨髄腫／形質細胞腫瘍、菌状息肉腫、骨髄異形成症候群、骨髄異形成／骨髄増殖性疾患、骨髄性白血病、慢性骨髄性白血病、多発性骨髄腫、慢性骨髄増殖性疾患、鼻腔もしくは副鼻腔癌、鼻咽頭癌、神経芽細胞腫、口腔癌、口腔咽頭癌、骨肉腫／骨の悪性線維性組織球腫、卵巣癌、上皮性卵巣癌、卵巣胚細胞腫瘍、卵巣低悪性度腫瘍、膵臓癌、膵島細胞膵臓癌、副鼻腔もしくは鼻腔癌、副甲状腺癌、陰茎癌、褐色細胞腫、松果体芽腫、脳下垂体腫瘍、形質細胞腫瘍／多発性骨髄腫、胸膜肺芽腫、原発性中枢神経系リンパ腫、前立腺癌、直腸癌、腎細胞（腎臓）癌、腎盂もしくは尿管移行細胞癌、網膜芽細胞腫、横紋筋肉腫、唾液腺癌、軟部組織肉腫、子宮肉腫、セザリー症候群、非黒色腫皮膚癌、メルケル細胞皮膚癌、小腸癌、軟部組織肉腫、扁平上皮細胞癌、皮膚Ｔ細胞リンパ腫、精巣癌、胸腺腫、胸腺癌、甲状腺癌、妊娠性絨毛性腫瘍、原発部位不明癌（Ｃａｒｃｉｎｏｍａ  ｏｆ  Ｕｎｋｎｏｗｎ  Ｐｒｉｍａｒｙ  Ｓｉｔｅ）、原発部位不明癌（Ｃａｎｃｅｒ  ｏｆ  Ｕｎｋｎｏｗｎ  Ｐｒｉｍａｒｙ  Ｓｉｔｅ）、尿道癌、子宮内膜子宮癌、子宮肉腫、膣癌、視覚路もしくは視床下部神経膠腫、外陰癌、ワルデンシュトレーム型マクログロブリン血症、またはウィルムス腫瘍である、請求項１−３のいずれか１項に記載の方法��
【請求項１２】
前記循環バイオマーカーは、総ＩＧＦ−１、ＩＧＦＢＰ−２、ＩＧＦＢＰ−３、ＩＧＦ−２／ＩＧＦＢＰ−２の比率、またはＩＧＦＢＰ−２／ＩＧＦＢＰ−３の比率である、請求項１−３のいずれか１項に記載の方法。
【請求項１３】
前記循環バイオマーカーは、総ＩＧＦ−１であり、より高い総ＩＧＦ−１濃度は、前記患者がより良好な予後を有することを示す、請求項１２に記載の方法。
【請求項１４】
前記患者の総ＩＧＦ−１濃度は、約１１８ｎｇ／ｍＬ超である場合により高く、約１１８ｎｇ／ｍＬ未満である場合により低い、請求項１３に記載の方法。
【請求項１５】
前記循環バイオマーカーは、ＩＧＦＢＰ−２であり、より低いＩＧＦＢＰ−２濃度は、前記患者がより良好な予後を有することを示す、請求項１２に記載の方法。
【請求項１６】
前記患者の総ＩＧＦＢＰ−２濃度は、約１７０ｎｇ／ｍＬ超である場合により高く、約１７０ｎｇ／ｍＬ未満である場合により低い、請求項１５に記載の方法。
【請求項１７】
前記循環バイオマーカーは、ＩＧＦＢＰ−３であり、より高いＩＧＦＢＰ−３濃度は、前記患者がより良好な予後を有することを示す、請求項１２に記載の方法。
【請求項１８】
前記患者の総ＩＧＦＢＰ−３濃度は、約１．９μｇ／ｍＬ超である場合により高く、約１．９μｇ／ｍＬ未満である場合により低い、請求項１７に記載の方法。
【請求項１９】
請求項１２に列挙される第２の循環バイオマーカーの濃度を決定することを更に含む、請求項１２に記載の方法。
【請求項２０】
請求項１２に列挙される第３の循環バイオマーカーの濃度を決定することを更に含む、請求項１９に記載の方法。
【請求項２１】
請求項１２に列挙される第４の循環バイオマーカーの濃度を決定することを更に含む、請求項２０に記載の方法。
【請求項２２】
前記バイオマーカーは、ＩＧＦＢＰ−２および総ＩＧＦ−１である、請求項１９に記載の方法。
【請求項２３】
前記バイオマーカーは、ＩＧＦＢＰ−２およびＩＧＦＢＰ−３である、請求項１９に記載の方法。
【請求項２４】
前記バイオマーカーは、総ＩＧＦ−１およびＩＧＦＢＰ−３である、請求項１９に記載の方法。
【請求項２５】
請求項１−２４のいずれか１項に記載の方法を実施するためのキットであって、ＩＧＦ−１、ＩＧＦＢＰ−２、及びＩＧＦＢＰ−３からなる群から選択される循環バイオマーカーの量を測定するための剤を含むキットを含む、前記キット。
【手続補正書】
【提出日】平成27年1月17日(2015.1.17)
【手続補正１】
【補正対象書類名】明細書
【補正対象項目名】０００８
【補正方法】変更
【補正の内容】
【０００８】
このように、上述したタイプのロックは、枢動可能であり、かつ枢動する必要のある爪部、回転防止レバー、または回転式ラッチなどの構成要素を有する。通常、そのような構成は、少なくとも１つのあらかじめ張力を掛けた（プレテンションを掛けた）バネも含み、当該バネはバネ力により、当該構成要素に望ましい枢動を生じさせる。そのような、あらかじめ張力を掛けたバネは、例えば爪部をその戻り止め位置に移動、回転防止レバーをその回転防止位置に移動、または回転式ラッチをその開錠位置に移動させることができる。独国特許出願公開第１０  ２００７  ００３  ９４８  Ａ１号は、バネで付勢された回転式ラッチ、すなわち各前記バネのバネ力により枢動自在な回転式ラッチについて開示している。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第４，９７１，３７３号明細書
（特許文献２）  米国特許出願公開第２０１０／１２７５１２号明細書
（特許文献３）  米国特許出願公開第２０１１／０１２３７６号明細書
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
中性脂質と、
両親媒性脂質と
ヒアルロナン分解酵素と
を含む多小胞リポソームであって、ヒアルロナン分解酵素の濃度は、０．１ｍｇ／ｍＬ〜１ｍｇ／ｍＬの間もしくはおよそその間である、多小胞リポソーム。
【請求項２】
ヒアルロン酸をさらに含む、請求項１に記載の多小胞リポソーム。
【請求項３】
中性脂質と、
両親媒性脂質と
ヒアルロナン分解酵素と
ヒアルロン酸と
を含む多小胞リポソーム。
【請求項４】
ヒアルロナン分解酵素が、リポソーム内にカプセル封入されている、請求項１から３のいずれかに記載の多小胞リポソーム。
【請求項５】
ヒアルロナン分解酵素が、ヒアルロニダーゼ、コンドロイチナーゼまたはリアーゼである、請求項１から４のいずれかに記載の多小胞リポソーム。
【請求項６】
ヒアルロニダーゼが、ＰＨ２０ヒアルロニダーゼである、請求項１から４のいずれかに記載の多小胞リポソーム。
【請求項７】
可溶性ＰＨ２０が、配列番号４〜９および４７〜４８のいずれかに示されるアミノ酸の配列または配列番号４〜９および４７〜４８のいずれかと少なくとも９５％のアミノ酸配列同一性を示すアミノ酸の配列を含有するポリペプチドの中から選択される、請求項６に記載の多小胞リポソーム。
【請求項８】
ヒアルロナン分解酵素が、ポリマーとのコンジュゲーションによって修飾されているか、または標識または検出可能な部分と直接または間接的に連結されている、請求項１から７のいずれかに記載の多小胞リポソーム。
【請求項９】
ヒアルロン酸の濃度が、０．０５ｍｇ／ｍＬ〜５０ｍｇ／ｍＬであるか、もしくはその間である、請求項３から８のいずれかに記載の多小胞リポソーム。
【請求項１０】
中性脂質が、ジグリセリドまたはトリグリセリドである、請求項１から９のいずれかに記載の多小胞リポソーム。
【請求項１１】
両親媒性脂質が、ホスファチジルグリセロール（ＰＧ）、カルジオリピン（ＣＬ）、ホスファチジルセリン（ＰＳ）、ホスファチジン酸（ＰＡ）、ホスファチジルイノシトール、ホスファチジルコリン（ＰＣ）、ホスファチジルエタノールアミン（ＰＥ）、スフィンゴミエリンまたはジアシルトリメチルアンモニウムプロパン（ＤＩＴＡＰ）である、請求項１から１０のいずれかに記載の多小胞リポソーム。
【請求項１２】
ＤＰＰＧまたはコレステロールの１つまたは両方をさらに含む、請求項１から１２のいずれかに記載の多小胞リポソーム。
【請求項１３】
治療薬を含む、請求項１から１２のいずれかに記載の多小胞リポソーム。
【請求項１４】
治療薬が、抗アンドロゲン剤、α遮断薬、ボツリヌス毒素および加水分解酵素の中から選択される良性前立腺肥大症を治療するための薬剤である、請求項１３に記載の多小胞リポソーム。
【請求項１５】
ａ）ヒアルロナン分解酵素を２ｍｇ／ｍＬ未満の濃度で含む第１の水性成分を形成する工程と、
ｂ）少なくとも１種の有機溶媒と、少なくとも１種の両親媒性脂質と、少なくとも１種の中性脂質とを含む脂質成分を形成する工程と、
ｃ）第１の水性成分および脂質成分からエマルジョンを形成する工程と、
ｄ）エマルジョンを第２の水性成分中に分散して溶媒小球を形成する工程と、
ｅ）溶媒小球から有機溶媒を除去して、第２の水性成分中に懸濁された多小胞リポソームを形成する工程と
を含むプロセスによって製造されるか、またはプロセスによって得ることができる多小胞リポソームであって、得られる多小胞リポソームは、０．１ｍｇ／ｍＬ〜１ｍｇ／ｍＬのヒアルロナン分解酵素を含む、多小胞リポソーム。
【請求項１６】
医薬上許容される担体中に請求項１から１４のいずれかに記載の多小胞リポソームを含む、組成物。
【請求項１７】
請求項１５に記載の組成物を含む第１の組成物と、
治療薬を含む第２の組成物と
を含む、組合せ。
【請求項１８】
治療薬が、抗アンドロゲン剤、α遮断薬、ボツリヌス毒素および加水分解酵素の中から選択される良性前立腺肥大症を治療するために適している薬剤である、請求項１６に記載の組成物または請求項１７に記載の組合せ。
【請求項１９】
治療薬が、フィナステリドまたはデュタステリドである５α−レダクターゼ阻害剤である、請求項１６から１８のいずれかに記載の組成物または組合せ。
【請求項２０】
ヒアルロナン分解酵素と、
ヒアルロン酸と
を含み、それによって、ヒアルロナン分解酵素が、ヒアルロニダーゼ活性の少なくとも５０％を、２８℃〜３２℃で少なくとも６カ月、または２℃〜８℃で少なくとも１年保持する、組成物であって、ヒアルロナン分解酵素の濃度は少なくとも５０Ｕ／ｍＬである、組成物。
【請求項２１】
ヒアルロナン分解酵素が、ヒアルロニダーゼ、コンドロイチナーゼまたはリアーゼである、請求項２０に記載の組成物。
【請求項２２】
ヒアルロニダーゼが、ＰＨ２０ヒアルロニダーゼである、請求項２０または２１に記載の組成物。
【請求項２３】
ＰＨ２０が、配列番号４〜９および４７〜４８のいずれかに示されるアミノ酸の配列を含有するポリペプチドまたは配列番号４〜９および４７〜４８のいずれかと少なくとも９５％の配列同一性を示すアミノ酸の配列の中から選択される、請求項２２に記載の組成物。
【請求項２４】
ヒアルロナン分解酵素が、ポリマーとのコンジュゲーションによって修飾されている、請求項２０から２３のいずれかに記載の組成物。
【請求項２５】
ポリマーが、ＰＥＧまたはデキストランである、請求項２４に記載の組成物。
【請求項２６】
ヒアルロナン分解酵素の濃度が、１００Ｕ／ｍＬ〜１０００Ｕ／ｍＬであるか、またはおよそその間である、請求項２０から２５のいずれかに記載の組成物。
【請求項２７】
ヒアルロン酸の濃度が、１ｍｇ／ｍＬ〜１００ｍｇ／ｍＬであるか、またはおよそその間である、請求項２０から２６のいずれかに記載の組成物。
【請求項２８】
０．５ｍＬ〜５０ｍＬの間またはおよそ０．５ｍＬ〜５０ｍＬの容量で製剤される、請求項２０から２７のいずれかに記載の組成物。
【請求項２９】
ヒアルロナン関連疾患または状態の治療において使用するための、請求項１５から２８のいずれかに記載の組成物または組合せ。
【請求項３０】
ヒアルロナン関連疾患または状態が、良性前立腺肥大症である、請求項２９に記載の組成物。
【請求項３１】
前立腺内注射または注入用に製剤される、請求項２９または請求項３０に記載の組成物。
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
結晶性Ｐ２Ｓ５・２Ｃ５Ｈ５Ｎの硫化剤としての使用による、硫化反応生成物をもたらす反応において、化合物中の＞Ｃ＝Ｏ基（Ｉ）を＞Ｃ＝Ｓ基（ＩＩ）又は基（ＩＩ）の互変異性型へ変換するための方法。
【請求項２】
硫化剤と化合物を該化合物と該硫化剤の液体溶媒媒体中で互いにそのまま反応させる、請求項１に記載の方法。
【請求項３】
液体溶媒媒体が、ピリジン、Ｃ１〜Ｃ３アルキルニトリル、環式スルホン、及び／又はＣ１〜Ｃ３ジアルキルスルホンを含む、請求項２に記載の方法。
【請求項４】
液体溶媒媒体が、ピリジン、スルホラン、ジメチルスルホン、及び／又はアセトニトリルを含む、請求項２又は３に記載の方法。
【請求項５】
反応を６０℃〜１８０℃の温度で実施する、請求項１〜４のいずれか１項に記載の方法。
【請求項６】
反応を１１５℃〜１７５℃の温度で実施する、請求項５に記載の方法。
【請求項７】
化合物がアミド官能基に存在する基（Ｉ）を含む、請求項１〜６のいずれか１項に記載の方法。
【請求項８】
化合物がケトン官能基に存在する基（Ｉ）を含む、請求項１〜７のいずれか１項に記載の方法。
【請求項９】
硫化剤を、変換される基（Ｉ）に対して、１〜４モルの基（Ｉ）に付き１モルのＰ２Ｓ５・２Ｃ５Ｈ５Ｎのモル比で使用する、請求項１〜８のいずれか１項に記載の方法。
【請求項１０】
硫化反応生成物を反応物より分離することを含んでなる、請求項１〜９のいずれか１項に記載の方法。
【請求項１１】
反応物へ水を加えて、沈殿析出又は結晶化により、硫化反応生成物を固体材料として分離する、請求項１０に記載の方法。
【請求項１２】
調製された結晶性Ｐ２Ｓ５・２Ｃ５Ｈ５Ｎが、ピリジン母液より分離されている、請求項１〜１１のいずれか１項に記載の方法。
【請求項１３】
結晶性Ｐ２Ｓ５・２Ｃ５Ｈ５Ｎである、硫化剤。
【手続補正２】
【補正対象書類名】明細書
【補正対象項目名】０００７
【補正方法】変更
【補正の内容】
【０００７】
さらなる側面により、結晶性Ｐ２Ｓ５・２Ｃ５Ｈ５Ｎである硫化剤を提供する。
これに限定されるものではないが、本発明は以下の態様の発明を包含する。
［１］結晶性Ｐ２Ｓ５・２Ｃ５Ｈ５Ｎの硫化剤としての使用による、硫化反応生成物をもたらす反応において、化合物中の＞Ｃ＝Ｏ基（Ｉ）を＞Ｃ＝Ｓ基（ＩＩ）又は基（ＩＩ）の互変異性型へ変換するための方法。
［２］硫化剤と化合物を該化合物と該硫化剤の液体溶媒媒体中で互いにそのまま反応させる、［１］に記載の方法。
［３］液体溶媒媒体が、ピリジン、Ｃ１〜Ｃ３アルキルニトリル、環式スルホン、及び／又はＣ１〜Ｃ３ジアルキルスルホンを含む、［１］又は［２］に記載の方法。
［４］液体溶媒媒体が、ピリジン、スルホラン、ジメチルスルホン、及び／又はアセトニトリルを含む、［１］〜［３］のいずれかに記載の方法。
［５］反応を６０℃〜１８０℃の温度で実施する、［１］〜［４］のいずれかに記載の方法。
［６］反応を１１５℃〜１７５℃の温度で実施する、［５］に記載の方法。
［７］化合物がアミド官能基に存在する基（Ｉ）を含む、［１］〜［６］のいずれかに記載の方法。
［８］化合物がケトン官能基に存在する基（Ｉ）を含む、［１］〜［７］のいずれかに記載の方法。
［９］硫化剤を、変換される基（Ｉ）に対して、１〜４モルの基（Ｉ）に付き１モルのＰ２Ｓ５・２Ｃ５Ｈ５Ｎのモル比で使用する、［１］〜［８］のいずれかに記載の方法。
［１０］硫化反応生成物を反応物より分離することを含んでなる、［１］〜［９］のいずれかに記載の方法。
［１１］反応物へ水を加えて、沈殿析出又は結晶化により、硫化反応生成物を固体材料として分離する、［１０］に記載の方法。
［１２］結晶性Ｐ２Ｓ５・２Ｃ５Ｈ５Ｎである、硫化剤。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
去勢抵抗性前立腺癌（ＣＲＰＣ）に罹患した患者の治療用医薬の調製のための、抗αvインテグリン抗体ＤＩ１７Ｅ６またはその生物学的に活性な変異体もしくは改変体の使用であって、前記変異体もしくは改変体がＤＩ１７Ｅ６の定常領域のアミノ酸配列と少なくとも80％〜98％同一の定常領域を含む、前記使用。
【請求項２】
癌が転移している、請求項１に記載の使用。
【請求項３】
癌がリンパ節転移を伴っている、請求項２に記載の使用。
【請求項４】
癌が骨転移を伴っている、請求項２または３に記載の使用。
【請求項５】
前立腺特異抗原（ＰＳＡ）値が、抗体治療の開始前の値と比較して、治療期間中に１０分の１未満に低下する、請求項１〜４のいずれか一項に記載の使用。
【請求項６】
ＰＳＡ値の低下が治療の４〜６か月以内に達成される、請求項５に記載の使用。
【請求項７】
末梢循環腫瘍細胞（ＣＴＣ）の数が抗体治療期間中に低下する、請求項１〜６のいずれか一項に記載の使用。
【請求項８】
患者の前立腺が治療前に切除される、請求項１〜７のいずれか一項に記載の使用。
【請求項９】
患者が化学療法および／または放射線で前治療されている、請求項１〜８のいずれか一項に記載の使用。
【請求項１０】
抗体の有効用量が、隔週５００ｍｇ〜１０００ｍｇである、請求項１〜９のいずれか一項に記載の使用。
【請求項１１】
有効用量が単回投与で投与される、請求項１０に記載の使用。
【請求項１２】
抗体が単独療法として投与される、請求項１〜１１のいずれか一項に記載の使用。
【請求項１３】
生物学的に活性な変異体または改変体が、ＤＩ１７Ｅ６の可変領域と比較して、アミノ酸配列が少なくとも９８％同一である、ＤＩ１７Ｅ６のＣＤＲ領域ならびに重鎖および軽鎖可変領域を含む、請求項１〜１２のいずれか一項に記載の使用。
【請求項１４】
重鎖フレームワーク領域
ＦＲ１：ＱＶＱＬＱＱＳＧＡＥＬＡＥＰＧＡＳＶＫＭＳＣＫＡＳＧＹＴＦＳ（配列番号１６）
ＦＲ２：ＷＶＫＱＲＰＧＱＧＬＥＷＩＧ（配列番号１７）
ＦＲ３：ＫＡＴＭＴＡＤＴＳＳＳＴＡＹＭＱＬＳＧＬＴＳＥＤＳＡＶＹＹＣＡＳ（配列番号１８）
ＦＲ４：ＷＧＱＧＴＳＶＴＶＳＳ（配列番号１）
の内部に１つまたは複数の改変を含み、配列中、太字および下線付き位置の１つまたは複数が変異しており、それぞれのオリジナル配列と比較して異なっている、請求項１３に記載の使用。
【請求項１５】
生物学的に活性な変異体または改変体が、ＤＩ１７Ｅ６の定常領域と比較して、アミノ酸配列が少なくとも８０％同一である定常領域を含む、請求項１〜１４のいずれか一項に記載の使用。
【請求項１６】
ヒトＩｇＧ２の代わりにヒトＩｇＧ１定常領域またはヒトＩｇＧ１ヒンジの代わりにヒトＩｇＧ２ヒンジ領域を含む、請求項１５に記載の使用。
【請求項１７】
患者のＣＲＰＣが化学療法後に進行性である、請求項１〜１６のいずれか一項に記載の使用。
【請求項１８】
患者が、前立腺摘除術または他の前立腺癌関連外科手術または放射線療法の後に治療される、請求項１〜１７のいずれか一項に記載の使用。
【請求項１９】
抗体治療がホルモン剤との逐次的投与または同時投与を含む、請求項１〜１８のいずれか一項に記載の使用。
【請求項２０】
抗体治療が、化学療法剤、放射線、チロシンキナーゼ阻害剤、および血管新生阻害剤からなる群から選択される細胞増殖抑制性または細胞傷害性の薬剤との逐次的投与または同時投与を含む、請求項１〜１９のいずれか一項に記載の使用。
【請求項２１】
チロシンキナーゼ阻害剤が、抗ＥＧＦＲ抗体、抗Ｈｅｒ２抗体、および抗Ｈｅｒ３抗体からなる群から選択される抗ＥｒｂＢ抗体であり、血管新生阻害剤がアルファ−ｖインテグリン阻害剤である、請求項２０に記載の使用。
【請求項２２】
治療が、治療期間中に前立腺癌患者のＰＳＡレベルを、抗体投与の開始前のＰＳＡレベルと比較して１０分の１未満に低下させる、請求項１〜２１の何れか1項記載の使用であって、抗体の有効用量が隔週投与される５００〜１５００ｍｇである、前記使用。
【請求項２３】
有効用量が単回投与で投与される、請求項２２に記載の使用。
【請求項２４】
患者が去勢抵抗性前立腺癌（ＣＲＰＣ）に罹患している、請求項２２または２３に記載の使用。
【請求項２５】
癌が骨および／またはリンパ節組織に転移している、請求項２４に記載の使用。
【請求項２６】
治療が、骨および／またはリンパ節転移を伴うＣＲＰＣに発生する疼痛を軽減することを含む請求項１〜２５のいずれか1項記載の使用であって、抗体の有効用量が隔週投与される５００〜１５００ｍｇである、前記使用。
【請求項２７】
患者のＰＳＡレベルが、抗体投与の開始前の患者のＰＳＡレベルと比較して、治療期間中に１０分の１未満に低下する、請求項２６に記載の使用。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
中空微小球が得られる供給原料組成物の総重量に基づいて少なくとも４５重量％のリサイクルガラスを含む、中空微小球であって、１．２５ｇ／ｃｍ３未満の真密度、２０ＭＰａを超える２０％体積減少での強度を有し、実質的に単一セル構造を有し、更に、前記中空微小球が得られる前記供給原料組成物の総重量に基づいて０．０５重量％未満の添加された有効な発泡剤を有する供給原料組成物から製造されてなる、中空微小球。
【請求項２】
リサイクルガラス粒子を含み、供給原料組成物の総重量に基づいて０．０５重量％未満の添加された有効な発泡剤を含む、前記供給原料組成物を提供することと、
リサイクルガラス粒子と、ホウ酸及び酸化ホウ素の少なくとも１つとの水性分散液を形成することと、
前記水性分散液を噴霧乾燥して、球状ガラス凝集物を形成することと、
前記凝集物を加熱して、中空微小球を形成することと、
を含み、前記中空微小球が実質的に単一セル構造を有する、中空微小球の作製方法。
【手続補正書】
【提出日】平成27年2月18日(2015.2.18)
【手続補正１】
【補正対象書類名】明細書
【補正対象項目名】００２１
【補正方法】変更
【補正の内容】
【００２１】
前述の目的は、
−ベース材料及び遷移金属を含む組成物を提供する工程であって、該ベース材料は第１の層のためであり、ジルコン酸塩、ｃｅｒａｔｅ、チタン酸塩、ランタン酸塩、アルミン酸塩、ドープジルコニア及び／又はドープセリア（ここで、ドーパントは、Ｃａ、Ｇａ、Ｓｃ、Ｙ及びランタニド元素からなる群から選択される）からなる群から選択される、該工程、
−前記組成物の第１の層を形成する工程であって、第１の層は電解質層である、該工程、−少なくとも１つの電極層又は電極前駆体層を、前記第１の層の片面又は両面上に形成する工程、及び
−多層構造体を低ｐＯ２雰囲気中で焼結する工程、
を含む、低ｐＯ２雰囲気中でセラミックデバイスを製造する方法であって、
−前記遷移金属の量が、前記第１の層の組成に基づいて、０．０１〜４モル％であること、
−前記酸素分圧ｐＯ２が１０−１４Ｐａ又はそれ以下であること、かつ、
−前記焼結の温度が、７００〜１，６００℃の範囲であることを特徴とする、上記の方法によって達成される。
【手続補正２】
【補正対象書類名】明細書
【補正対象項目名】００４７
【補正方法】変更
【補正の内容】
【００４７】
電極層又は電極前駆体層の形成
本発明の方法では、上記の第１の層の片面又は両面上に、少なくとも１つの電極層又は電極前駆体層が形成される。企図される用途に応じて、所望の機能に合わせて材料を選択することができる。従来技術において公知の適切な方法のいずれか、例えば、テープ成形、スクリーン印刷又は噴霧塗装により、層を施用することができる。特に好ましい実施形態において、本発明の方法は、２つの層を第１の層に適用することを含み、２つの層の各層は、第１の層の両面上にそれぞれ１つずつ配される。そのような三層構造は、支持層と組み合わせてＳＯＣに好ましく用いられる。
【手続補正３】
【補正対象書類名】明細書
【補正対象項目名】００４８
【補正方法】変更
【補正の内容】
【００４８】
ＳＯＣを対象とする三層構造の場合、後に電極層として機能する任意層に好ましい材料は、ＬＳＭ（Ｌａ１−ｘＳｒｘ）ＭｎＯ３−δ、（Ｌｎ１−ｘＳｒｘ）ＭｎＯ３−δ、（Ｌｎ１−ｘＳｒｘ）ＣｏＯ３−δ、（Ｌｎ１−ｘＳｒｘ）Ｆｅ１−ｙＣｏｙＯ３−δ、（Ｙ１−ｘＣａｘ）Ｆｅ１−ｙＣｏｙＯ３−δ、（Ｇｄ１−ｘＳｒｘ）Ｆｅ１−ｙＣｏｙＯ３−δ、（Ｇｄ１−ｘＣａｘ）Ｆｅ１−ｙＣｏｙＯ３−δ、（Ｙ，Ｃａ）Ｆｅ１−ｙＣｏｙＯ３−δ、ドープセリア及びドープジルコニア、又はそれらの混合物である。Ｌｎ＝ランタニドである。どーパンとは、第１の層の形成の説明の欄で挙げたものと同じである。式中、ｘ及びｙは≦０＜１、好ましくは０．１〜０．９であり、特に好ましくは０．２〜０．８である。
【手続補正４】
【補正対象書類名】明細書
【補正対象項目名】００６３
【補正方法】変更
【補正の内容】
【００６３】
実施例１：金属支持された固体酸化物型セルの製造
第１の工程は、４つの層（層１−金属支持層、層２−アノード層、層３−電解質層及び層４−カソード層）のテープ成形を含む。テープ成形のための懸濁物は、ポリビニルピロリドン（ＰＶＰ）、ポリビニルブチラール（ＰＶＢ）及びＥｔＯＨ＋ＭＥＫを添加剤として含む粉末のボールミルを使って製造する。粒度を制御した後、ドクターブレード設定を用いて懸濁物をテープ成形し、その後乾燥させる。
【手続補正５】
【補正対象書類名】明細書
【補正対象項目名】００６５
【補正方法】変更
【補正の内容】
【００６５】
層２：懸濁物は、ＦｅＣｒ金属粉末を含むＹ−ドープＺｒＯ２をベースとし、ポア形成材として炭を用いる。乾燥した薄片の厚さは約３０μｍである。焼結した層の密度は約３０％である。
【手続補正６】
【補正対象書類名】明細書
【補正対象項目名】００６９
【補正方法】変更
【補正の内容】
【００６９】
第３の工程では、積層したテープを四角形の小片に切断する。これは、ナイフパンチング（ｋｎｉｆｅ  ｐｕｎｃｈｉｎｇ）で行い、その結果、５×５〜３０×３０ｃｍ２の範囲の焼結した面積が得られる。
【手続補正７】
【補正対象書類名】明細書
【補正対象項目名】００７１
【補正方法】変更
【補正の内容】
【００７１】
第５の工程は、カソードの浸漬である。焼結したセルをアノード側上で密閉する。Ｌａ、Ｓｒ、Ｃｏ及びＦｅの硝酸塩溶液を、多孔質体中へ真空浸透させる。浸透は、硝酸塩の分解のための中間加熱工程を間に伴って４回実行する。浸漬させたペロブスカイトカソードの最終的な組成：（Ｌａ０．６Ｓｒ０．４）（Ｃｏ０．２Ｆｅ０．８）Ｏ３−δ。
【手続補正８】
【補正対象書類名】特許請求の範囲
【補正対象項目名】請求項１
【補正方法】変更
【補正の内容】
【請求項１】
−ベース材料及び遷移金属を含む組成物を提供する工程であって、該ベース材料は第１の層のためであり、ジルコン酸塩、ｃｅｒａｔｅ、チタン酸塩、ランタン酸塩、アルミン酸塩、ドープジルコニア及び／又はドープセリア（ここで、ドーパントは、Ｃａ、Ｇａ、Ｓｃ、Ｙ及びランタニド元素からなる群から選択される）からなる群から選択される、該工程、
−前記組成物の第１の層を形成する工程であって、第１の層は電解質層である、該工程、−少なくとも１つの電極層又は電極前駆体層を、前記第１の層の片面又は両面上に形成する工程、及び
−多層構造体を低ｐＯ２雰囲気中で焼結する工程、
を含む、低ｐＯ２雰囲気中でセラミックデバイスを製造する方法であって、
−前記遷移金属の量が、前記第１の層の組成に基づいて、０．０１〜４モル％であること、
−前記酸素分圧ｐＯ２が１０−１４Ｐａ以下であること、かつ、
−前記焼結の温度が、７００〜１，６００℃の範囲であること、
を特徴とする、上記の方法。
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
式Ｉによるデンドリマー複合体であり、：
【化１】
2014510015.tif 000001
（式中、
2014510015.tif 000002
は、１、２、３、４、５、６、７、８、９および１０からなる群から選択される世
代ｎのデンドリマーコアを表し、各世代は、表面基の所定数ｐに関連し、
Ｘは、「遊離」または非複合化形態の−ＣＯＯＲ'および−ＮＲ'Ｒ"、ならびに
複合化形態の−ＮＨＣ（Ｏ）−（ＣＨ2）a−Ｃ（Ｏ）−、−ＮＨＣ（Ｏ）−
（Ｃ2−Ｃ6）アルケニル−Ｃ（Ｏ）、−ＮＨＣ（Ｏ）−ＣＨ2−Ｏ−ＮＨ2、
−ＮＨＣ（Ｏ）−（ＣＨ2）a−マレイミド、および−ＮＲ'−（ＣＨ2）a
−ＮＲ"からなる群から選択される表面基であり、
Ｓは、硫黄であり、
Ｒ1は、金属キレート剤であり、
ｐは、４、８、１６、３２、６４、１２８、２５６、５１２、１０２４、２０４８および４０９６から選択される整数であり、
Ｚは、式Ａに従う前立腺特異的膜抗原標的化部分であり、
【化２】
2014510015.tif 000003
式中、
−Ｃ＝Ｊは、−ＣＨ2基または−Ｃ＝Ｏであり、
Ｌは、−ＣＯＯＲ'''、−（ＣＨ2）−ＮＨ−Ｃ（Ｏ）−ＣＨ（Ｏ）−、−（Ｃ
Ｈ2）−ＮＨ−Ｃ（Ｏ）−（ＣＨ2−ＣＨ2−Ｏ）y−ＮＲ'−、−（ＣＨ2）−ＮＨ
−Ｃ（Ｏ）−（ＣＨ2）z−ＮＲ'−、および−（ＣＨ2）−ＮＨ−Ｃ（Ｏ）−
（ＣＨ2）z−ＳＨ−からなる群から選択され、
Ｒ'、Ｒ"、Ｒ'''、Ｒ2、Ｒ3、およびＲ4は、それぞれ独立して、Ｈ、
および直鎖または分岐鎖Ｃ1−Ｃ6アルキルからなる群から選択され、
ｑは、Ｚに結合された利用可能な表面基Ｘの割合を表し、
下付文字ａ、ｙおよびｚは、それぞれ独立して、０から８の間
の整数である）デンドリマー複合体。
【請求項２】
Ｙは、−ＮＨＣ（Ｏ）−（ＣＨ2）a−Ｃ（Ｏ）−であり、Ｚは、式Ａの化合物であり、−Ｃ＝Ｊは、−ＣＨ2であり、Ｌは、−（ＣＨ2）−ＮＨ−Ｃ（Ｏ）−（ＣＨ2）z−ＮＲ'−である、請求項１に記載のデンドリマー複合体。
【請求項３】
ａは、２であり、ｚは、３である、請求項２に記載のデンドリマー複合体。
【請求項４】
ａは、２であり、ｚは、６である、請求項１に記載のデンドリマー複合体。
【請求項５】
Ｙは、−ＮＲ'−（ＣＨ2）a−ＮＲ"−であり、Ｚは、式Ａの化合物であり、−Ｃ＝Ｊは、−Ｃ＝Ｏであり、Ｌは、−ＣＯＯＲ'''である、請求項１に記載のデンドリマー複合体。
【請求項６】
Ｙは、−ＮＨ−（ＣＨ2）2−ＮＨ−であり、Ｌは、−ＣＯＯ−（Ｃ1−Ｃ6）アルキルである、請求項５に記載のデンドリマー複合体。
【請求項７】
（ｉ）金属イオンと、
（ｉｉ）式Ｉによるデンドリマー複合体を含む錯体であり、：
式Ｉは、
【化５】
2014510015.tif 000004
（式中、
2014510015.tif 000005
は、１、２、３、４、５、６、７、８、９および１０からなる群から選択される世      代ｎのデンドリマーコアを表し、各世代は、表面基の所定数ｐに関連し、
Ｘは、「遊離」または非複合化形態の−ＣＯＯＲ'および−ＮＲ'Ｒ"、ならびに
複合化形態の−ＮＨＣ（Ｏ）−（ＣＨ2）a−Ｃ（Ｏ）−、−ＮＨＣ（Ｏ）−
（Ｃ2−Ｃ6）アルケニル−Ｃ（Ｏ）、−ＮＨＣ（Ｏ）−ＣＨ2−Ｏ−ＮＨ2、
−ＮＨＣ（Ｏ）−（ＣＨ2）a−マレイミド、および−ＮＲ'−（ＣＨ2）a
−ＮＲ"からなる群から選択される表面基であり、
Ｓは、硫黄であり、
Ｒ1は、金属キレート剤であり、
ｐは、４、８、１６、３２、６４、１２８、２５６、５１２、
１０２４、２０４８および４０９６から選択される整数であり、
Ｚは、式Ａに従う前立腺特異的膜抗原標的化部分であり、
【化６】
2014510015.tif 000006
式中、
−Ｃ＝Ｊは、−ＣＨ2基または−Ｃ＝Ｏであり、
Ｌは、−ＣＯＯＲ'''、−（ＣＨ2）−ＮＨ−Ｃ（Ｏ）−ＣＨ（Ｏ）−、−
（ＣＨ2）−ＮＨ−Ｃ（Ｏ）−（ＣＨ2−ＣＨ2−Ｏ）y−ＮＲ'−、
−（ＣＨ2）−ＮＨ−Ｃ（Ｏ）−（ＣＨ2）z−ＮＲ'−、および
−（ＣＨ2）−ＮＨ−Ｃ（Ｏ）−（ＣＨ2）z−ＳＨ−からなる群から
選択され、
Ｒ'、Ｒ"、Ｒ'''、Ｒ2、Ｒ3、およびＲ4は、それぞれ独立して、Ｈ、
および直鎖または分岐鎖Ｃ1−Ｃ6アルキルからなる群から選択され、
ｑは、Ｚに結合された利用可能な表面基Ｘの割合を表し、
下付文字ａ、ｙおよびｚは、それぞれ独立して、０から８の間の整数である、
錯体。
【請求項８】
前記金属は、68Ｇａ、64Ｃｕ、67Ｃｕ、212Ｐｂ、203Ｐｂ、212Ｂｉ、213Ｂｉ、89Ｚｒ、
186Ｒｅ、99mＴｃ、90Ｙ、86Ｙ、177Ｌｕ、111Ｉｎおよび188Ｒｅからなる群から選択さ
れる、請求項７に記載の錯体。
【請求項９】
Ｒ1は、
【化７】
2014510015.tif 000007
であり、前記金属イオンは、68Ｇａ、64Ｃｕ、67Ｃｕ、212Ｐｂ、203Ｐｂ、212Ｂｉ、213
Ｂｉ、89Ｚｒ、186Ｒｅ、99mＴｃ、90Ｙ、86Ｙ、177Ｌｕ、111Ｉｎおよび188Ｒｅからな
る群から選択される、請求項７に記載の錯体。
【請求項１０】
前記金属イオンは、111Ｉｎである、請求項９に記載の錯体。
【請求項１１】
以下の式により選択される錯体であり、：
【化８】
2014510015.tif 000008
2014510015.tif 000009
2014510015.tif 000010
（式中、
Ｍは、68Ｇａ、64Ｃｕ、67Ｃｕ、212Ｐｂ、203Ｐｂ、212Ｂｉ、213Ｂｉ，89Ｚｒ  、
186Ｒｅ、99mＴｃ、90Ｙ、86Ｙ、177Ｌｕ、111Ｉｎおよび188Ｒｅからなる群から選択さ
れ、
ｘは、０から６の間の整数である、請求項７に
記載の錯体、ならびに
その薬学的に許容される塩または溶媒和物。
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
癌の治療において使用するための代謝標的化学免疫療法レジメンであって、
免疫応答を刺激するための治療的有効用量の１つ以上の免疫作用物質；
血糖低減治療；および、
治療的有効用量の１つ以上の化学療法薬；
を含み、
前記１つ以上の免疫作用物質および前記１つ以上の化学療法薬の治療的有効用量は標準用量より低い、代謝標的化学免疫療法レジメン。
【請求項２】
前記１つ以上の免疫作用物質は、１つ以上の治療抗体、ビタミン、ミネラル、栄養分、ハーブ、植物由来物質、真菌、動物または昆虫由来物質、アジュバント、抗酸化剤、アミノ酸、サイトカイン、ケモカイン、ホルモン、Ｔ細胞共刺激分子、全身的免疫刺激ペプチド、遺伝子治療、および免疫細胞由来療法を含む、請求項１に記載の代謝標的化学免疫療法レジメン。
【請求項３】
１つ以上のブースター量の、前記１つ以上の治療抗体を投与することをさらに含む、請求項１に記載の代謝標的化学免疫療法レジメン。
【請求項４】
前記血糖低減治療は、絶食、ある用量のインスリン、ある用量のインスリン非依存薬、またはその組み合わせから選択される、請求項１に記載の代謝標的化学免疫療法レジメン。
【請求項５】
前記インスリン非依存薬はメトホルミン、グリメピリド、グリブリドまたはグリピジドから選択される、請求項４に記載の代謝標的化学免疫療法レジメン。
【請求項６】
前記血糖の低減は長期間維持される、請求項１に記載の代謝標的化学免疫療法レジメン。
【請求項７】
治療的有効用量のインスリン非依存薬を前記１つ以上の化学療法薬と組み合わせて投与することをさらに含む、請求項１に記載の代謝標的化学免疫療法レジメン。
【請求項８】
前記１つ以上の化学療法薬は、高頻度で投与される、請求項１に記載の代謝標的化学免疫療法レジメン。
【請求項９】
癌の治療において使用するための代謝標的化学療法レジメンであって、
癌幹細胞の集団において発現されるＭＤＲポンプを標的にするインスリン非依存血糖低減治療；および
治療的有効用量の１つ以上の化学療法薬；
を含み、
前記１つ以上の化学療法薬の治療的有効用量は標準用量より低い、代謝標的化学療法レジメン。
【請求項１０】
前記インスリン非依存血糖低減治療は、絶食、運動、低炭水化物食、αグルコシダーゼ阻害薬、ＭＤＲポンプ阻害薬、ビグアナイド薬、またはその組み合わせから選択される、請求項９に記載の代謝標的化学免疫療法レジメン。
【請求項１１】
ａ）前記１つ以上の化学療法薬は、アルキル化剤、代謝拮抗薬、抗腫瘍抗生剤、トポイソメラーゼ阻害薬、有糸分裂阻害剤、ホルモン療法、解糖阻害薬、標的治療薬および免疫治療薬からなる群より選択される；または、
ｂ）前記１つ以上の化学療法薬は、複数の化学療法薬を含み、各々が細胞周期の異なる点を標的にする、請求項１又は９に記載の代謝標的化学免疫療法レジメン。
【請求項１２】
治療的有効用量の１つ以上の免疫作用物質を投与し、免疫応答を刺激することをさらに含み、前記１つ以上の化学療法薬の治療的有効用量は標準用量よりも低く、さらに、前記１つ以上の免疫作用物質は、治療抗体、ビタミン、ミネラル、栄養分、ハーブ、植物由来物質、真菌、動物または昆虫由来物質、アジュバント、抗酸化剤、アミノ酸、サイトカイン、ケモカイン、ホルモン、Ｔ細胞共刺激分子、全身的免疫刺激ペプチド、遺伝子治療、および免疫細胞由来療法からなる群より選択される、請求項９に記載の代謝標的化学免疫療法レジメン。
【請求項１３】
前記代謝標的化学免疫療法は、健康な細胞よりも、癌細胞の集団を選択的に標的にする、請求項１または９に記載の代謝標的化学免疫療法レジメン。
【請求項１４】
その後の用量のインスリンを投与することをさらに含む、請求項９に記載の代謝標的化学免疫療法レジメン。
【請求項１５】
前記代謝標的化学免疫療法は、食道癌、乳癌、肺癌、骨癌、膀胱癌、脳癌、尿路癌、細胞腫、子宮頸癌、結腸癌、胃癌、頭頸部癌、肝細胞癌、肝癌、リンパ腫および白血病、メラノーマ、卵巣癌、膵癌、下垂体癌、前立腺癌、直腸癌、腎臓癌、肉腫、精巣癌、甲状腺癌、および子宮癌からなる群より選択される癌を治療するために使用される、請求項１または９に記載の代謝標的化学免疫療法レジメン。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
極性有機溶剤、低級炭化水素溶剤および低分子量油からなる群から選択される溶剤中のチョウマメ（Ｃｌｉｔｏｒｉａ  ｔｅｒｎａｔｅａ）の葉由来の抽出物を含み、前記抽出物が、殺虫活性を有し、および／または、前記昆虫有害生物を忌避し、および／または、前記昆虫有害生物の産卵を抑止し、および／または、前記産卵場所に作用し、および／または、前記昆虫有害生物の植物への摂食を抑止する二次植物性化合物（ＳＰＣ）を含む組成物において、前記組成物が一又はそれ以上の乳化剤と、任意によりキャリアを含むことを特徴とする組成物。
【請求項２】
請求項１に記載の組成物において、１種以上の農学的に許容可能な賦形物をさらに含むことを特徴とする組成物。
【請求項３】
請求項１に記載の組成物において、前記キャリアが非極性溶剤または油であることを特徴とする組成物。
【請求項４】
請求項３に記載の組成物において、前記油がカノーラ油または綿実油であることを特徴とする組成物。
【請求項５】
請求項１に記載の組成物において、前記溶剤がアルコールであることを特徴とする組成物。
【請求項６】
請求項５に記載の組成物において、前記アルコールがエタノールであることを特徴とする組成物。
【請求項７】
請求項１に記載の組成物において、前記組成物のメタノール抽出物の高速液体クロマトグラフィ分析によるクロマトグラムが、図１に示すクロマトグラムの主要ピークを示すことを特徴とする組成物。
【請求項８】
請求項１に記載の組成物において、前記抽出物がチョウマメの全体由来の抽出物であることを特徴とする組成物。
【請求項９】
昆虫有害生物の外寄生による損害を受ける植物もしくはこのような外寄生を受けやすい植物を、請求項１に記載の組成物で処理するステップを具えることを特徴とする、植物の昆虫有害生物を防除する方法。
【請求項１０】
植物の１種以上の昆虫有害生物を防除する方法において、昆虫有害生物の外寄生による損害を受ける植物もしくはこのような外寄生を受けやすい植物を、殺虫活性を有し、および／または、前記昆虫有害生物を忌避し、および／または、前記昆虫有害生物の産卵を抑止し、および／または、前記産卵場所に作用し、および／または、前記昆虫有害生物の植物への摂食を抑止し、ならびに、チョウマメ（Ｃｌｉｔｏｒｉａ  ｔｅｒｎａｔｅａ）の葉に由来する二次植物性化合物（ＳＰＣ）で処理するステップを含むことを特徴とする方法。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
ゲル−液晶相転移温度(Tm)またはTm以上で破壊される熱感受性リポソームであって、該リポソームがナノ粒子を封入する熱感受性脂質膜を含み、該ナノ粒子が治療薬または診断薬として用いることができ、
各ナノ粒子が、i)最大寸法が約100nm未満の無機コアを含み、ii)該ナノ粒子の表面に−20mV以下または＋20mV以上の静電気が存在する原因となる物質で完全にコートされており、該静電気を、0.2〜8g/Lで変動するサスペンジョン中のナノ粒子の濃度についてpH6〜8の水性媒質中でゼータ電位測定により測定する、熱感受性リポソーム。
【請求項２】
該熱感受性脂質膜が少なくともホスファチジルコリンを含む、請求項１記載の熱感受性リポソーム。
【請求項３】
該熱感受性脂質膜がさらにコレステロールを含む請求項２記載の熱感受性リポソーム。
【請求項４】
該熱感受性脂質膜が、ジパルミトイルホスファチジルコリン、水素添加ダイズホスファチジルコリン、コレステロール、およびジステアリルホスファチジルエタノールアミン−メトキシポリエチレングリコールを含む請求項１〜３のいずれかに記載の熱感受性リポソーム。
【請求項５】
該熱感受性脂質膜が、ジパルミトイルホスファチジルコリン、ジステアリルホスファチジルエタノールアミン−メトキシポリエチレングリコール、およびモノパルミトイルホスファチジルコリンもしくはモノステアリルホスファチジルコリンを含む、請求項２記載の熱感受性リポソーム。
【請求項６】
該ナノ粒子の表面に静電気が存在する原因となる物質が、２つの基RおよびXを有する有機分子であり、Rが、アミン、ホスフェート、およびカルボキシレートから選ばれ、Xが、カルボキシレート、シラン、ホスホニック、ホスホリック、ホスフェート、およびチオールから選ばれる、請求項１〜５のいずれかに記載の熱感受性リポソーム。
【請求項７】
該ナノ粒子が、さらにスクシンイミジルエステルおよびマレイミド基から選ばれるカップリング基を含む請求項６記載の熱感受性リポソーム。
【請求項８】
該ナノ粒子が、さらに、ペプチド、オリゴペプチド、ポリペプチド、タンパク質、核酸、ホルモン、ビタミン、酵素、腫瘍抗原のリガンド、ホルモンレセプター、サイトカインレセプター、および成長因子レセプターから選ばれるターゲッティング基を含む、請求項１〜７のいずれかに記載の熱感受性リポソーム。
【請求項９】
該リポソームの最大サイズが50〜500nm、好ましくは50〜250nmである、請求項１〜８のいずれかに記載の熱感受性リポソーム。
【請求項１０】
該リポソームの破壊が該荷電ナノ粒子の放出をもたらす、請求項１〜９のいずれかに記載の熱感受性リポソーム。
【請求項１１】
Tmが39℃〜45℃である、請求項１〜１０のいずれかに記載の熱感受性リポソーム。
【請求項１２】
ナノ粒子を治療薬として用いるときの、各ナノ粒子のコアの最大寸法が5nm〜100nm、好ましくは10nm〜50nmである、請求項１〜１１のいずれかに記載の熱感受性リポソーム。
【請求項１３】
ナノ粒子を診断薬として用いるときの、各ナノ粒子のコアの最大寸法が2〜10nmである、請求項１〜１２のいずれかに記載の熱感受性リポソーム。
【請求項１４】
請求項１〜１３のいずれかに記載の熱感受性リポソームおよび医薬的に許容される担体を含む治療用組成物。
【請求項１５】
請求項１〜１３のいずれかに記載の熱感受性リポソームおよび医薬的に許容される担体を含む診断用組成物。